(57)【特許請求の範囲】
【請求項１】
戸当り柱と、前記戸当り柱から離間して位置する支柱と、前記支柱にスライド可能に支持される扉体とを備え、
前記戸当り柱には、柱側ガイド部材が設けられ、
前記扉体には、前記柱側ガイド部材に当接する扉側ガイド部材が設けられ、
前記扉側ガイド部材および前記柱側ガイド部材のうちの一方のガイド部材は、弾性を有したガイド本体と、前記扉体が前記戸当り柱に向かってスライド方向に閉鎖移動する際に、前記扉側ガイド部材および前記柱側ガイド部材のうちの他方のガイド部材に当接して前記扉側ガイド部材を前記柱側ガイド部材の上方に案内可能に構成される第一案内面を形成する案内金具とによって形成される
ことを特徴とする引戸門扉。
【請求項２】
戸当り柱と、前記戸当り柱から離間して位置する支柱と、前記支柱にスライド可能に支持される扉体とを備え、
前記戸当り柱には、柱側ガイド部材が設けられ、
前記扉体には、前記柱側ガイド部材に当接する扉側ガイド部材が設けられ、
前記扉側ガイド部材および前記柱側ガイド部材のうちの一方のガイド部材は、前記扉体が前記戸当り柱に向かってスライド方向に閉鎖移動する際に、前記扉側ガイド部材および前記柱側ガイド部材のうちの他方のガイド部材に当接して前記扉側ガイド部材を前記柱側ガイド部材の上方に案内可能に構成される第一案内面を有する弾性体によって形成され、
前記扉側ガイド部材および前記柱側ガイド部材のうちの他方のガイド部材は、ガイドローラーによって形成される
ことを特徴とする引戸門扉。
【請求項３】
請求項１または請求項２に記載の引戸門扉において、
前記戸当り柱は、前記扉体の閉鎖状態で前記扉側ガイド部材が配置される溝形成部を有し、
前記扉側ガイド部材は、前記扉体がスライド方向に閉鎖移動する際に、前記戸当り柱に当接して前記扉側ガイド部材を前記扉体の見込み方向において前記溝形成部に案内可能に構成される第二案内面を有する
ことを特徴とする引戸門扉。
【請求項４】
請求項１から請求項３のいずれか一項に記載の引戸門扉において、
前記扉側ガイド部材は、上下方向において前記扉体の戸先側の上端および下端から離間した位置に配置される
ことを特徴とする引戸門扉。
【発明の詳細な説明】
【技術分野】
【０００１】
本発明は、扉体が柱体に対してスライドすることによって開閉する引戸門扉に関する。
【背景技術】
【０００２】
従来、引戸門扉として、門柱、戸当り門柱および扉体を備える引戸門扉が提案されている（特許文献１参照）。
門柱は、横桟で連結された左右２本の支柱によって構成されており、２本の支柱のそれぞれの上下位置に戸車が設けられている。
扉体は、上桟、下桟および左右の縦桟を四周枠組みし、その内周側に複数本の格子材が取り付けられて構成されている。上桟および下桟は、中空の形材によって構成されており、門柱側に向けて開口する開口部をそれぞれ有し、各開口部にはレールがそれぞれ設けられている。
２本の支柱の上側に位置する各戸車は上桟のレールに上側から係合し、かつ、２本の支柱の下側に位置する各戸車は、下桟のレールに下側から係合している。このように、上下の各戸車によって、扉体を上下から挟み込んで左右にスライド可能に支えている。
この引戸門扉では、扉体が戸当り門柱に向かってスライドすることで門を閉鎖し、逆に、扉体が門柱に向かってスライドすることで門を開放する。
【先行技術文献】
【特許文献】
【０００３】
【特許文献１】特開２０１４−１０９１１３号公報
【発明の概要】
【発明が解決しようとする課題】
【０００４】
ところで、特許文献１に記載の引戸門扉では、扉体が戸当り門柱に向かってスライド方向に閉鎖移動し、扉体の重心が各支柱による支持位置から戸当り門柱側に離間した場合には、各戸車と各レールとのクリアランス等に起因して、扉体の戸先側部分が戸尻側部分よりも垂れ下がり、戸当り門柱に対して下方に位置ズレを生じるおそれがある。このように位置ズレを生じると、引戸門扉の円滑な施錠や解錠が困難となる。
【０００５】
本発明の目的は、扉体がスライド方向に閉鎖移動する際に扉体位置を上下補正可能な引戸門扉を提供することにある。
【課題を解決するための手段】
【０００６】
本発明の引戸門扉は、戸当り柱と、前記戸当り柱から離間して位置する支柱と、前記支柱にスライド可能に支持される扉体とを備え、前記戸当り柱には、柱側ガイド部材が設けられ、前記扉体には、前記柱側ガイド部材に当接する扉側ガイド部材が設けられ、前記扉側ガイド部材および前記柱側ガイド部材のうちの一方のガイド部材は、弾性を有したガイド本体と、前記扉体が前記戸当り柱に向かってスライド方向に閉鎖移動する際に、前記扉側ガイド部材および前記柱側ガイド部材のうちの他方のガイド部材に当接して前記扉側ガイド部材を前記柱側ガイド部材の上方に案内可能に構成される第一案内面を形成する案内金具とによって形成されることを特徴とする。
本発明によれば、扉体がスライド方向に閉鎖移動し、扉体の重心が支柱による支持位置から戸当り柱側に離間した際、支柱、各戸車および扉体のクリアランス等に起因して、扉体の戸先側部分が戸当り柱に対して下方に位置ズレしたとしても、扉体の閉鎖移動中に、前述した第一案内面が扉側ガイド部材および柱側ガイド部材のうちの他方のガイド部材に当接し、扉側ガイド部材を柱側ガイド部材の上方に案内する。これにより、扉体位置を上方に補正でき、引戸門扉の施錠や解錠を円滑に行い得る。
またこのような構成によれば、引戸門扉の閉鎖動作が繰り返されることによって、扉側ガイド部材および柱側ガイド部材のうちの他方のガイド部材に対して繰り返し当接する第一案内面を案内金具で形成することで、耐久性を向上できる。
加えて、ガイド本体が弾性を有するため、扉体が閉鎖する際の衝撃や衝突音を低減し得る。
【０００７】
また、本発明の引戸門扉は、戸当り柱と、前記戸当り柱から離間して位置する支柱と、前記支柱にスライド可能に支持される扉体とを備え、前記戸当り柱には、柱側ガイド部材が設けられ、前記扉体には、前記柱側ガイド部材に当接する扉側ガイド部材が設けられ、前記扉側ガイド部材および前記柱側ガイド部材のうちの一方のガイド部材は、前記扉体が前記戸当り柱に向かってスライド方向に閉鎖移動する際に、前記扉側ガイド部材および前記柱側ガイド部材のうちの他方のガイド部材に当接して前記扉側ガイド部材を前記柱側ガイド部材の上方に案内可能に構成される第一案内面を有する弾性体によって形成され、前記扉側ガイド部材および前記柱側ガイド部材のうちの他方のガイド部材は、ガイドローラーによって形成されることを特徴とする。
本発明によれば、扉体がスライド方向に閉鎖移動し、扉体の重心が支柱による支持位置から戸当り柱側に離間した際、支柱、各戸車および扉体のクリアランス等に起因して、扉体の戸先側部分が戸当り柱に対して下方に位置ズレしたとしても、扉体の閉鎖移動中に、前述した第一案内面が扉側ガイド部材および柱側ガイド部材のうちの他方のガイド部材に当接し、扉側ガイド部材を柱側ガイド部材の上方に案内する。これにより、扉体位置を上方に補正でき、引戸門扉の施錠や解錠を円滑に行い得る。
またこのような構成によれば、戸当り柱に向かう扉体の閉鎖移動において、一方のガイド部材をガイドローラーによって上方に円滑に案内できる。また、一方のガイド部材が弾性を有するため、扉体が閉鎖する際の衝撃や衝突音を低減し得る。
【０００８】
本発明の引戸門扉では、前記戸当り柱は、前記扉体の閉鎖状態で前記扉側ガイド部材が配置される溝形成部を有し、前記扉側ガイド部材は、前記扉体がスライド方向に閉鎖移動する際に、前記戸当り柱に当接して前記扉側ガイド部材を前記扉体の見込み方向において前記溝形成部に案内可能に構成される第二案内面を有することが好ましい。
このような構成によれば、扉体の重心が支柱による支持位置から戸当り柱側に離間した際、支柱、各戸車および扉体のクリアランスや、引戸門扉の出入り口を通る人が扉体に当るなどの不慮の行為による扉体の変形、経年による扉体の変形等に起因して、扉体の戸先側部分が戸当り柱に対して扉体の見込み方向に位置ズレしたとしても、扉体の閉鎖移動中に、前述した第二案内面が戸当り柱に当接し、扉側ガイド部材を扉体の見込み方向において溝形成部に向かって案内する。これにより、一つの扉側ガイド部材のほかに、扉体を見込み方向において溝形成部に向かって案内する案内部材などを増設することなく、扉体の見込み方向に案内可能な構成を実現できる。
【０００９】
本発明の引戸門扉では、前記扉側ガイド部材は、上下方向において前記扉体の戸先側の上端および下端から離間した位置に配置されることが好ましい。
このような構成によれば、スライド方向および見込み方向への位置ズレが少ない位置に扉側ガイド部材を配置できる。つまり、扉体の戸先側が垂れ下がった際にスライド方向における位置ズレが大きい扉体の下端から離間して扉側ガイド部材を配置することで、スライド方向における位置ズレを小さくできる。また、扉体の戸先側が見込み方向に倒れた際に当該見込み方向における位置ズレが大きい扉体の上端もしくは下端から離間して扉側ガイド部材を配置することで、扉体の見込み方向における位置ズレを小さくできる。これにより、小さな位置ズレを補正できる扉側ガイド部材や柱側ガイド部材を形成すればよいので、各ガイド部材を小型化できる。
【発明の効果】
【００１２】
本発明によれば、扉体がスライド方向に閉鎖移動する際に扉体位置を上下補正可能な引戸門扉を提供できる。
【図面の簡単な説明】
【００１３】
【図１】本発明の実施形態に係る引戸門扉を示す正面図。
【図２】前記実施形態に係る引戸門扉を示す横断面図。
【図３】前記実施形態に係る引戸門扉を示す縦断面図
【図４】前記実施形態に係る引戸門扉の要部を分解して示す斜視図。
【図５】前記実施形態に係る引戸門扉の要部の閉鎖状態を示す説明図。
【図６】前記実施形態に係る引戸門扉の要部の見込み補正動作を示す説明図。
【図７】前記実施形態に係る引戸門扉のガイド部材の変形例を示す説明図。
【発明を実施するための形態】
【００１４】
［本実施形態の構成］
以下、本発明の実施形態を図面に基づいて説明する。
図１〜３において、本実施形態に係る引戸門扉１は、例えば戸建て住宅等の敷地の内外（本実施形態では道路側と家側）を仕切るための出入り口として設けられるものであって、地面２に立設された戸当り柱３および支柱４と、支柱４にスライド可能に支持（中吊り支持）される扉体５とを備えている。
戸当り柱３および支柱４は、アルミ押出形材によって形成されており、図１において水平方向に互いに離間して配置され、戸当り柱３は左側に配置され、支柱４は右側に配置されている。
【００１５】
戸当り柱３は、図２に示すように、道路側の見付け片部３１と、見込み片部３２と、家側の見付け片部３３と、扉体５戸先側の縁部に対向する対向部３４とを有して構成されている。
見込み片部３２は、見付け片部３１，３３の見付け方向外側における縁部に連続している。
対向部３４は、見付け片部３１，３３の見付け方向内側における縁部にそれぞれ連続している見込み部３５，３６と、見込み部３５，３６に連続している溝形成部３７とを有している。見込み部３５、３６と溝形成部３７との連続部分にはテーパー面３８，３９が形成されている。
【００１６】
支柱４は、図３に示すように、一対の柱体４１と、一対の柱体４１に掛け渡された上横桟４２および下横桟４３とによって構成されている。図１に示すように、上横桟４２には案内部である二つの上戸車４４が取り付けられ、下横桟４３には案内支持部である二つの下戸車４５が取り付けられている。なお、上戸車４４および下戸車４５は、それぞれ二つ以上（例えば四つずつ）設けられていてもよい。
【００１７】
扉体５は、正面視矩形状に形成されており、上縁に沿って延びる上レール５１と、下縁に沿って延びる下レール５２とが内蔵されている。扉体５の上縁には上カバー５３が装着されており、扉体５の下縁には下カバー５４が装着されている。扉体５の両縦縁部は窪んで形成されており、縦カバー５５が適宜に装着されている。また、道路側および家側における扉体５の各面にはハンドル５６が取り付けられている。
上レール５１には各上戸車４４が嵌合しており、下レール５２には各下戸車４５が嵌合している。これにより、各上戸車４４は、扉体５の上部にスライド案内可能に当接し、各下戸車４５は、扉体５の下部をスライド案内可能に支持している。
なお、扉体５は、地面２から離れた位置で支柱４に支持されているので、地面２の凹凸形状等に何ら影響されることなくスライド可能である。
【００１８】
図１に示すように、戸当り柱３および扉体５には、ラッチ装置６および施錠装置７が設けられている。
戸当り柱３の溝形成部３７には、柱側ガイド部材として図４に示すガイドローラー１０が設けられている。扉体５の戸先側の縦縁部には、図４に示すガイド部材２０（扉側ガイド部材）が設けられている。ガイド部材２０は、上下方向において扉体５の戸先側の上端５７（上角部）および下端５８（下角部）から所定距離離間した位置に配置されており、ガイドローラー１０は、扉体５の閉鎖状態で、ガイド部材２０の下部に当接可能な位置に配置されている。ガイドローラー１０およびガイド部材２０は、扉体５の扉体位置を補正する補正機構８を構成しており、ラッチ装置６および施錠装置７よりも上方に配置されている。
【００１９】
ガイドローラー１０は、図４，図５（Ａ）に示すように、取付金具１１と、樹脂製のローラー部材１２とを備えて構成されている。取付金具１１は、戸当り柱３の溝形成部３７に固定されている。本実施形態では、取付金具１１は、溝形成部３７に裏板を介してネジ止めされている。ローラー部材１２は、取付金具１１に軸支されている。
【００２０】
ガイド部材２０は、扉体５が閉鎖位置にある状態で、当該ガイド部材２０の下面がローラー部材１２の上側部分に当接する高さ位置に配置されている。ガイド部材２０は、図４，図５（Ａ）に示すように、ゴム製のガイド本体２１と、案内金具２７とによって形成される。ガイド本体２１はおよび案内金具２７は、扉体５の戸先側における縦縁部の窪み部分にそれぞれビス止めされている。
【００２１】
ガイド本体２１は、水平面およびスライド方向に直交する第一鉛直面に対して傾斜した上傾斜面２２および下傾斜面２３と、第一鉛直面および扉体５の見込み方向に直交する第二鉛直面に対して傾斜した第二案内面である縦傾斜面２４，２５とを有している。また、ガイド本体２１には、扉体５の戸先側における縦縁部の窪み部分に向かって突出した係合突部２６が形成されており、ガイド本体２１の扉体５への取付状態で当該扉体５の戸先側における縦縁部の窪み部分に係合している。
【００２２】
上傾斜面２２および下傾斜面２３は、その扉体５側の位置よりも戸当り柱３側の位置で互いに接近する向きに、互いに同じ４５度の傾斜角度をもって傾斜して形成されている。このため、上傾斜面２２は、その戸当り柱３側の位置が扉体５寄りの位置よりも低くなるように傾斜して配置され、下傾斜面２３は、その戸当り柱３側の位置が扉体５寄りの位置よりも高くなるように傾斜して配置される。ガイド本体２１に上傾斜面２２が形成されることで、上傾斜面２２への衣服等の引掛かりを低減でき、雨流しを構成でき、また、ガイド本体２１を上下逆向きに設置しても上下位置を補正可能な構成にできる。下傾斜面２３は、後述する第一案内面２９に沿って傾斜している。
【００２３】
縦傾斜面２４，２５は、その扉体５側の位置よりも戸当り柱３側の位置で互いに接近する向きに、互いに同じ傾斜角度をもって傾斜して形成されている。このため、縦傾斜面２４は、その戸当り柱３側の位置が扉体５寄りの位置よりも家側に傾斜して配置され、縦傾斜面２５は、その戸当り柱３側の位置が扉体５寄りの位置よりも道路側に傾斜して配置される。なお、テーパー面３８は縦傾斜面２４と同じ傾斜角度、傾斜向きで形成され、テーパー面３９は、縦傾斜面２５と同じ傾斜角度、傾斜向きで形成されている。
【００２４】
案内金具２７は、固定片部２７１と、当接片部２７２とを有して構成されている。固定片部２７１は、扉体５の戸先側における縦縁部の窪み部分にビス止めされている。当接片部２７２は、固定片部２７１の下部から戸当り柱３側に向かって延出しており、その先端部が上方に折曲されて案内片部２８を形成している。当接片部２７２のうち案内片部２８および固定片部２７１間に連続している連続片部は、水平面に沿って配置されている。案内片部２８の外面は第一案内面２９として形成されている。案内片部２８の内面は、下傾斜面２３に当接している。
【００２５】
第一案内面２９は、その戸当り柱３側の位置が扉体５寄りの位置よりも高くなるように、水平面および前述した第一鉛直面に対して４５度の一定の傾斜角度をもって傾斜して形成されている。
【００２６】
［本実施形態の動作］
以下、本発明の実施形態に係る引戸門扉１の開閉動作について説明する。
先ず、引戸門扉１の開放動作について説明する。図１に実線で示す扉体５が閉鎖位置にある閉鎖状態で、ハンドル５６の操作によって解錠し、扉体５を支柱４に向かってスライド方向に全開位置まで開放移動することで、引戸門扉１の出入り口を開放する。
【００２７】
次に、引戸門扉１の閉鎖動作について説明する。全開位置にある扉体５のハンドル５６を操作して扉体５を戸当り柱３に向かってスライド方向に閉鎖移動する。この閉鎖移動により扉体５が戸当り柱３に接近するにつれ、扉体５の重心５９は支柱４から戸当り柱３側に離間し、扉体５には、係合する各戸車４４，４５を回転軸にして図１に示すＲ方向のモーメントが生じる。このモーメントが生じると、扉体５は、各戸車４４，４５と各レール５１，５２とのクリアランス等に起因して戸尻側よりも戸先側が垂れ下がった傾き状態となる。この傾き状態では、ガイド部材２０はガイドローラー１０に対して図５（Ｂ）に示す低位置まで下がった状態となる。
【００２８】
扉体５の傾き状態で扉体５が閉鎖移動することにより、図５（Ｃ）に示すように、ガイド部材２０は低位置のまま戸当り柱３に接近し、第一案内面２９がローラー部材１２に当接する。扉体５のさらなる閉鎖移動により、ガイド部材２０は、ローラー部材１２を転動させながら第一案内面２９に沿って斜め上方に移動し、図５（Ａ）に示す高さ位置（閉鎖状態におけるガイド部材２０の高さ位置）に配置される。このとき、ローラー部材１２は、当接片部２７２の水平な下面に当接する。これにより、扉体５の戸先側部分は持ち上げられ、上下方向の位置ズレが補正される。
【００２９】
また、閉鎖移動によって扉体５の戸先側部分が支柱４から離間することで、各戸車４４，４５と各レール５１，５２とのクリアランス等に起因して、扉体５の戸先側部分が見込み方向において道路側または家側に位置ズレを生じ得る。図６（Ａ）は、扉体５の戸先側部分が家側に変位した状態を示す。
この状態で扉体５が閉鎖移動することにより、図６（Ｂ）に示すように、ガイド部材２０は、家側に変位した状態のまま戸当り柱３に接近し、縦傾斜面２５がテーパー面３９に当接する。扉体５のさらなる閉鎖移動により、ガイド部材２０は、縦傾斜面２５およびテーパー面３９に沿って道路側に案内されながら溝形成部３７に向かって移動し、図２に示す見込み位置（閉鎖状態におけるガイド部材２０の見込み位置）に配置される。このとき、ガイド部材２０は、溝形成部３７に配置される。これにより、扉体５の戸先側部分は見込み方向に移動され、扉体５の見込み方向の位置ズレが補正される。
なお、扉体５の戸先側部分が見込み方向において道路側に位置ズレした場合には、扉体５の閉鎖移動により、縦傾斜面２４がテーパー面３８に当接し、ガイド部材２０は家側に案内されながら溝形成部３７に向かって移動し、扉体５の見込み方向の位置ズレは補正される。
【００３０】
上述した閉鎖動作により、扉体５が上下方向および見込み方向の二軸方向の位置ズレした場合であっても、扉体５の閉鎖移動中に二軸方向の位置ズレは補正される。なお、扉体５が閉鎖位置に配置された際には、戸当り柱３に対する扉体５の位置ズレが補正されているので、ラッチ装置６および施錠装置７による施錠や解錠を円滑に行える。
【００３１】
［本実施形態の効果］
（１）ガイド部材２０は、扉体５閉鎖移動する際に、ガイドローラー１０に当接してガイド部材２０をガイドローラー１０の上方に案内可能に構成される第一案内面２９を有する。このため、扉体５が閉鎖移動し、扉体５の重心５９が支柱４による支持位置から戸当り柱３側に離間した際、支柱４、各戸車４４，４５および扉体５のクリアランス等に起因して、扉体５の戸先側部分が戸当り柱３に対して下方に位置ズレしたとしても、扉体５の閉鎖移動中に、第一案内面２９がガイドローラー１０に当接し、ガイド部材２０をガイドローラー１０の上方に案内する。これにより、扉体５の扉体位置を下がった分だけ上方に補正でき、引戸門扉１の施錠や解錠を円滑に行い得る。
また、扉体５の上下位置を補正することで、戸当り柱３と扉体５との間（特に戸当り柱３と下端５８との間）に隙間が生じるおそれをなくし得る。
さらに、扉体５や補正機構８が地面２に接触することがないので、扉体５のスライド方向の開閉移動は、地面２の凹凸形状等に影響されない。従って、引戸門扉１を階段スロープなどに設置可能となり、汎用性を向上できる。
（２）ガイド部材２０は、扉体５が閉鎖移動する際に、戸当り柱３に当接してガイド部材２０を扉体５の見込み方向において溝形成部３７側に案内可能に構成される縦傾斜面２４，２５を有する。このため、扉体５の重心５９が支柱４による支持位置から戸当り柱３側に離間した際、支柱４、各戸車４４，４５および扉体５のクリアランスや、引戸門扉１の出入り口を通る人が扉体５に当るなどの不慮の行為による扉体５の変形、経年による扉体５の変形等に起因して、扉体５の戸先側部分が戸当り柱３に対して扉体５の見込み方向に位置ズレしたとしても、扉体５の閉鎖移動中に、縦傾斜面２４，２５が戸当り柱３に当接し、ガイド部材２０を扉体５の見込み方向において溝形成部３７に向かって案内する。これにより、一つのガイド部材２０のほかに、扉体５を見込み方向において溝形成部３７に向かって案内する案内部材などを増設することなく、扉体５の見込み方向に案内可能な構成を実現でき、ガイド部材２０およびガイドローラー１０によって扉体５を予め設定した上下位置および見込み位置に案内する機構をコンパクト化できる。
（３）ガイド部材２０は、上下方向において扉体５の戸先側の上端５７および下端５８から所定距離離間した位置に配置される。扉体５の戸先側が垂れ下がった際にスライド方向における位置ズレが大きい下端５８から離間してガイド部材２０を配置することで、ガイド部材２０のスライド方向における位置ズレを小さくできる。また、扉体５の戸先側が見込み方向に倒れた際に当該見込み方向における位置ズレが大きい上端５７から離間してガイド部材２０を配置することで、扉体５の見込み方向におけるガイド部材２０の位置ズレを小さくできる。これにより、上端５７や下端５８での位置ズレと比べて小さな位置ズレしか生じない位置にガイド部材２０を配置し、このガイド部材２０の位置に対応した位置にガイドローラー１０を配置すればよいので、ガイド部材２０およびガイドローラー１０を小型化できる。
（４）ガイド部材２０は、弾性を有したガイド本体２１と、第一案内面２９を形成する案内金具２７とによって形成される。このため、引戸門扉１の閉鎖動作が繰り返されることによって、ガイドローラー１０に対して繰り返し当接する第一案内面２９を案内金具２７で形成することで、耐久性を向上できる。また、ガイド本体２１が弾性を有するため、扉体５が閉鎖する際の衝撃や衝突音を低減し得る。
【００３２】
［変形例］
本発明は、以上の実施形態で説明した構成のものに限定されず、本発明の目的を達成できる範囲での変形例は、本発明に含まれる。
例えば、前記実施形態では、ガイド部材２０の案内金具２７は、ガイド本体２１の下部にぴったり当接して設けられているが、これに限定されず、例えば図７（Ａ）に示すように、ガイド本体２１の下部（下傾斜面２３を含む）を除去し、ガイド本体２１と案内金具２７の当接片部２７２との間に空間を形成し、この空間に案内片部２８に板バネ形状のバネ部６１を設けてもよい。
バネ部６１は、案内片部２８に連続し、かつ、ガイド本体２１の下面に当接している。バネ部６１は、扉体５が閉鎖移動し、第一案内面２９がローラー部材１２に当接して押し付けられた状態で、この押付力に抗して、案内片部２８をローラー部材１２に向かって弾性付勢する。
このようにバネ部６１がある場合には、扉体５が閉鎖移動し、バネ部６１によって弾性付勢された案内片部２８の第一案内面２９がガイドローラー１０に当たる際の衝撃や衝突音を低減できる。
【００３３】
前記実施形態では、ガイド部材２０は、ガイド本体２１と案内金具２７とによって構成されているが、これに限定されず、例えば図７（Ｂ）に示すように案内金具２７の構成を省略してもよい。この場合には、ガイド本体２１の下傾斜面２３が第一案内面として構成され、扉体５の閉鎖移動によってローラー部材１２に当接し、扉体位置を上方に補正する。ローラー部材１２に当たるガイド本体２１自体が弾性を有するため、扉体５が閉鎖する際の衝撃や衝突音を低減できる。
【００３４】
前記実施形態では、戸当り柱３には、ガイドローラー１０が取り付けられているが、これに限定されず、例えば、ガイド部材２０と同様に構成された柱側ガイド部材が取り付けられてもよい。この柱側ガイド部材は、ガイド部材２０と同じ上下向きに設置された場合には、柱側ガイド部材の上傾斜面がガイド部材２０の第一案内面２９に当接する当接面として構成される。また、柱側ガイド部材が、ガイド部材２０と上下逆向きに設置された場合には、柱側ガイド部材の案内金具の傾斜面がガイド部材２０の第一案内面２９に当接する当接面として構成される。当該当接面に第一案内面２９で当接するガイド部材２０は、扉体５の閉鎖移動によって上方に移動し、扉体位置を上方に補正する。
また、戸当り柱３に前述した柱側ガイド部材が取り付けられる場合には、扉体５には、ガイド部材２０ではなく、ガイドローラー１０と同様に構成された扉側ガイド部材が取り付けられてもよい。この場合には、ガイドローラー１０は、柱側ガイド部材の当接面が第一案内面として機能し、扉体５の閉鎖移動によってガイドローラー１０を上方に移動し、扉体位置を上方に補正する。
【００３５】
前記実施形態では、ガイド部材２０は、扉体５の見込み方向における位置ズレを補正可能な縦傾斜面２４，２５（第二案内面）を有しているが、扉体５の見込み位置の補正が必要ない場合には、縦傾斜面２４，２５の構成を省略してもよい。
【００３６】
前記実施形態では、ガイド部材２０は、上下方向において上端５７および下端５８から離間して位置に配置されているが、これに限定されず、例えば上端５７に配置されてもよく、下端５８に配置されてもよい。なお、ガイドローラー１０は、ガイド部材２０の位置に対応して当該ガイド部材２０に当接可能な位置に配置される。
【００３７】
前記実施形態では、ガイド部材２０の第一案内面２９は平坦に形成され、第一案内面２９のスライド方向に対する傾斜角度が一定角度に設定されているが、これに限らず、例えば、第一案内面２９は、凹面状または凸面状に湾曲して形成されてもよく、また、前述した傾斜角度が互いに異なる二つ以上の傾斜面によって形成されてもよい。つまり、第一案内面２９は、その扉体５寄りの位置と戸当り柱３寄りの位置とで異なる傾斜角度を有していてもよい。
第一案内面２９のスライド方向に対する傾斜角度が、第一案内面２９の扉体５寄りの位置よりも戸当り柱３寄りの位置で小さく設定される場合には、一定の傾斜角度で全面が形成される第一案内面２９と比べて、第一案内面２９が戸当り柱３寄りの位置でガイドローラー１０に当接する際の衝撃や衝突音を低減できる。
また、第一案内面２９とガイドローラー１０との当接位置が扉体５寄りの位置になると、第一案内面２９の戸当り柱３寄りの位置と比べ、扉体５の上方への補正量を大きくできる。
【００３８】
前記実施形態では、ガイド本体２１は、ゴム製であるが、樹脂製、金属製等であってもよい。また、前記実施形態では、戸当り柱３に取り付けられる柱側ガイド部材としてガイドローラー１０が取り付けられているが、これに限らず、例えば、転動等しない滑り部材が下部材として取り付けられていてもよい。
【符号の説明】
【００３９】
１…引戸門扉、２…地面、３…戸当り柱、４…支柱、５…扉体、６…ラッチ装置、７…施錠装置、８…補正機構、１０…ガイドローラー（柱側ガイド部材）、１１…取付金具、１２…ローラー部材、２０…ガイド部材（扉側ガイド部材）、２１…ガイド本体、２２…上傾斜面、２３…下傾斜面、２４，２５…縦傾斜面（第二案内面）、２６…係合突部、２７…案内金具、２７１…固定片部、２７２…当接片部、２８…案内片部、２９…第一案内面、３１，３３…見付け片部、３２…見込み片部、３４…対向部、３５，３６…見込み部、３７…溝形成部、３８，３９…テーパー面、４１…柱体、４２…上横桟、４３…下横桟、４４…上戸車、４５…下戸車、５１…上レール、５２…下レール、５３…上カバー、５４…下カバー、５５…縦カバー、５６…ハンドル、５７…上端、５８…下端、５９…重心、６１…バネ部。
【図１】
0006499484.tif 000002
【図２】
0006499484.tif 000003
【図３】
0006499484.tif 000004
【図４】
0006499484.tif 000005
【図５】
0006499484.tif 000006
【図６】
0006499484.tif 000007
【図７】
0006499484.tif 000008